(57)【特許請求の範囲】
【請求項１】
羽根車と、
前記羽根車を収容し、流路を形成するケーシングと、
を備えた、ポンプであって、
前記ケーシングは、前記羽根車の回転軸線方向に沿って積み重ねられて互いに固定された複数のケーシング部品を有し、
前記複数のケーシング部品のうち、前記回転軸線方向の一方側の末端に配置された第１末端ケーシング部品以外の、並列流路ケーシング部品の各々は、互いに並列に配置された吸込流路及び吐出流路を形成しており、
前記第１末端ケーシング部品は、前記並列流路ケーシング部品により形成される前記吸込流路と前記吐出流路とを互いに連通させる連通流路を形成しており、
前記連通流路には、前記羽根車が設けられており、
前記第１末端ケーシング部品は、前記連通流路に設けられた前記羽根車の出口から前記吐出流路への接続口までに至る流路部分で、ボリュート形状をなしており、
前記連通流路は、前記連通流路に設けられた前記羽根車の出口から出た流体を、外周側へと案内した後、前記回転軸線方向の他方側へ案内して前記吐出流路への接続口に到達させるように構成されており、
前記連通流路における、前記連通流路に設けられた前記羽根車の出口から前記吐出流路への接続口までに至る流路部分は、前記吐出流路に向かうに従い、流路断面積が徐々に増大されており、
前記羽根車の入口は、前記回転軸線方向の他方側を向いており、
前記第１末端ケーシング部品は、前記羽根車の前記回転軸線方向の一方側に、流路を有していないことを特徴とする、ポンプ。
【請求項２】
前記並列流路ケーシング部品のうち、前記回転軸線方向の他方側の末端に配置された第２末端ケーシング部品は、前記吸込流路の吸込口及び前記吐出流路の吐出口を有しており、
前記吸込口及び前記吐出口の中心軸線は、それぞれ前記回転軸線方向に沿って延在している、請求項１に記載のポンプ。
【請求項３】
前記第１末端ケーシング部品に隣接する１つ又は複数の前記並列流路ケーシング部品の各々の前記吸込流路には、前記羽根車が前記回転軸線の周りに設けられている、請求項１又は２に記載のポンプ。
【請求項４】
前記ポンプは、キャビネット型給水装置に用いられるものである、請求項１〜３のいずれか一項に記載のポンプ。
【発明の詳細な説明】
【技術分野】
【０００１】
この発明は、給水装置等に用いることができるポンプに関する。
【背景技術】
【０００２】
商業建造物や集合住宅等、上水を大量に消費する需要先に充分な給水をすべく、上水道配水管と需要先との間には、ポンプを備えた給水装置が設けられることがある。給水装置に用いられるポンプとして、ポンプの吸込口及び吐出口が、同一平面上で、それぞれ配管ユニットの吸込口側開口及び吐出口側開口に接続されるものがある（例えば、特許文献１）。すなわち、このようなポンプでは、ポンプの吸込口及び吐出口のそれぞれの中心軸線どうしが、互いに平行である。
【０００３】
ここで、一般的な遠心ポンプは、外周側を向く吐出口を有しており、このような遠心型ポンプにおいて、吸込口及び吐出口のそれぞれの中心軸線どうしが互いに平行となるようにするためには、ポンプの吐出口にエルボ管を接続し、エルボ管の吐出口の中心軸線をポンプの吸込口の中心軸線（一般的には、羽根車の回転軸線）と平行となるようにする必要があった。
【先行技術文献】
【特許文献】
【０００４】
【特許文献１】特許第４３０８３８９号公報
【発明の概要】
【発明が解決しようとする課題】
【０００５】
しかしながら、上述のようにエルボ管が接続されたポンプは、エルボ管がある分、全体として大型化・高コスト化・部品点数増となるため、特にポンプをキャビネット型給水装置に用いる場合において、小型化等への要求が高かった。
【０００６】
本発明は、上記の課題を解決するためにされたものであり、小型化が可能なポンプを提供することを目的とする。
【課題を解決するための手段】
【０００７】
上記目的を達成するための本発明の要旨構成は、次の通りである。
【０００８】
本発明のポンプは、
羽根車と、
前記羽根車を収容し、流路を形成するケーシングと、
を備えた、ポンプであって、
前記ケーシングは、前記羽根車の回転軸線方向に沿って積み重ねられて互いに固定された複数のケーシング部品を有し、
前記複数のケーシング部品のうち、前記回転軸線方向の一方側の末端に配置された第１末端ケーシング部品以外の、並列流路ケーシング部品の各々は、互いに並列に配置された吸込流路及び吐出流路を形成しており、
前記第１末端ケーシング部品は、前記並列流路ケーシング部品により形成される前記吸込流路と前記吐出流路とを互いに連通させる連通流路を形成していることを特徴とする。
本発明のポンプによれば、小型化が可能となる。
【０００９】
本発明のポンプにおいて、
前記並列流路ケーシング部品のうち、前記回転軸線方向の他方側の末端に配置された第２末端ケーシング部品は、前記吸込流路の吸込口及び前記吐出流路の吐出口を有しており、
前記吸込口及び前記吐出口の中心軸線は、それぞれ前記回転軸線方向に沿って延在していると、好適である。
この構成によれば、ポンプを、さらに小型化して、キャビネット型給水装置への使用に特に適したものとすることができる。
【００１０】
本発明のポンプにおいて、前記第１末端ケーシング部品は、ボリュート形状をなしていると、好適である。
この構成によれば、ポンプの効率を向上できる。
【００１１】
本発明のポンプにおいて、前記第１末端ケーシング部品の前記連通流路には、前記羽根車が設けられていると、好適である。
この構成によれば、ポンプのさらなる小型化が可能になるとともに、高速回転による回転軸のブレから生じる振動を抑制できる。
【００１２】
本発明のポンプにおいて、前記第１末端ケーシング部品に隣接する１つ又は複数の前記並列流路ケーシング部品の各々の前記吸込流路には、前記羽根車が前記回転軸線の周りに設けられていてもよい。
【発明の効果】
【００１３】
本発明によれば、小型化が可能なポンプを提供することができる。
【図面の簡単な説明】
【００１４】
【図１】本発明の第１実施形態のポンプを示す斜視図である。
【図２】図１のポンプを示す、回転軸線に平行な平面に沿うＡ−Ａ断面図である。
【図３】図１のポンプを斜め上から観たときの分解斜視図である。
【図４】図１のポンプを斜め下から観たときの分解斜視図である。
【図５】図３の最上位のケーシング部品（第１末端ケーシング部品）を示す、回転軸線に垂直な平面に沿うＢ−Ｂ断面図である。
【図６】本発明の第２実施形態のポンプを示す斜視図である。
【図７】図６のポンプを示す、回転軸線に平行な平面に沿うＣ−Ｃ断面図である。
【図８】本発明の第３実施形態のポンプを示す斜視図である。
【図９】図８のポンプを示す、回転軸線に平行な平面に沿うＤ−Ｄ断面図である。
【発明を実施するための形態】
【００１５】
以下、本発明の実施形態につき、図面を参照して詳細に例示説明する。
【００１６】
（第１実施形態）
本発明の第１実施形態のポンプを、図１〜図５を参照して説明する。
第１実施形態のポンプ１は、キャビネット型給水装置（図示せず）に用いられる縦型多段遠心ポンプとして構成されており、図１〜図４に示すように、電動機１０と、羽根車１１と、案内羽根体１２と、羽根車１１及び案内羽根体１２を収容するケーシング１３とを、備えている。
【００１７】
ポンプ１を給水装置に組み込む際には、電動機１０の回転軸１０ａに沿う方向（すなわち回転軸線Ｃ１の方向。図のＺ軸方向。）が、上下方向とされ、より具体的には、回転軸１０ａが電動機１０における下端部に位置するようにし、また、回転軸線Ｃ１に対して垂直な方向（すなわち図のＸＹ平面方向。）が、水平方向とされる。なお、以下では、説明の便宜上、このように指向されたポンプ１における上側（回転軸線方向の一方側）を単に「上側」といい、ポンプ１における下側（回転軸線方向の他方側）を単に「下側」という。
ただし、ポンプ１を本例とは異なる方向に指向させてもよい。
【００１８】
ケーシング１３は、羽根車１１の回転によって、流体（本例では水）が下側から上側に向けて吸い上げられて、その後、昇圧された流体が下側に向けて吐き出されるように、略Ｕターン状の流路を形成している。すなわち、この略Ｕターン状の流路は、回転軸線Ｃ１の周りに形成されて、羽根車１１の回転によって上側に向かって吸い込まれる流体を案内する吸込流路１ｃと、吸込流路１ｃに対して並列に配置され、昇圧された流体を下側に向けて案内する吐出流路１ｅと、ケーシング１３の上端部分において、吸込流路１ｃと吐出流路１ｅとを互いに連通させる連通流路１ｄとを、有している。
ここで、吸込流路１ｃと吐出流路１ｅとが互いに「並列に配置」されているとは、すなわち、両流路が同軸状に配置されてはおらず、回転軸線Ｃ１に対して垂直な平面で観た時に、一方の流路の外縁が他方の流路の外縁の外部に位置しているとともに、他方の流路の外縁も一方の流路の外縁の外部に位置していることを指している。ただし、両流路の中心軸線どうしが平行であることまでは要しない。
【００１９】
図３及び図４に示すように、ケーシング１３は、羽根車１１の回転軸線方向（上下方向）に沿って積み重ねられて互いに固定された複数の（図の例では３つの）ケーシング部品１３ａ〜１３ｃを有している。図の例では、回転軸線方向に互いに隣接する２つのケーシング部品どうし（最上位及び中間のケーシング部品１３ａ、１３ｂどうし、中間及び最下位のケーシング部品１３ｂ、１３ｃどうし）が、互いにボルト１５によって締結されている。
【００２０】
図２に示すように、３つのケーシング部品１３ａ〜１３ｃのうち、最上位（回転軸線方向の一方側の末端）に配置されたケーシング部品１３ａ（第１末端ケーシング部品）は、連通流路１ｄを形成している。３つのケーシング部品１３ａ〜１３ｃのうち、最上位のケーシング部品１３ａ以外の、中間及び最下位のケーシング部品１３ｂ、１３ｃ（並列流路ケーシング部品）の各々は、互いに並列に配置された吸込流路１ｃ及び吐出流路１ｅの一部を形成している。すなわち、中間及び最下位のケーシング部品１３ｂ、１３ｃのそれぞれにおける、吸込流路１ｃの区画壁と吐出流路１ｅの区画壁とは、互いに一体に構成されている。図の例において、吐出流路１ｅは、その全長にわたってまっすぐ延在しており、その中心軸線は、回転軸線方向に沿って延在している。最上位のケーシング部品１３ａの連通流路１ｄの出口（すなわち吐出流路１ｅへの接続口）は、下側を向いており、その中心軸線は、吐出流路１ｅの中心軸線と一致している。
【００２１】
３つのケーシング部品１３ａ〜１３ｃのうち、最下位（回転軸線方向の他方側の末端）に配置されたケーシング部品１３ｃ（第２末端ケーシング部品）は、図２及び図４に示すように、その水平方向に沿う下端面（底面）において、回転軸線Ｃ１に対して垂直な一方向（図の例では、図のＸ軸方向）に互いから離間された、吸込流路１ｃの吸込口（すなわちポンプ１の吸込口）１ａ及び吐出流路１ｅの吐出口（すなわちポンプ１の吐出口）１ｂを有している。すなわち、吸込口１ａ及び吐出口１ｂは、同一平面（本例では、水平面）内に位置している。また、図の例では、吸込口１ａの中心軸線Ｃ２は、回転軸線Ｃ１と一致しており、吐出口１ｂの中心軸線Ｃ３は、吸込口１ａの中心軸線Ｃ２（ひいては回転軸線Ｃ１）に対して平行である。
【００２２】
本実施形態では、最上位のケーシング部品１３ａ（第１末端ケーシング部品）以外の、中間及び最下位のケーシング部品１３ｂ、１３ｃ（並列流路ケーシング部品）の各々が、互いに並列に配置された吸込流路１ｃ及び吐出流路１ｅを形成しており、すなわち、中間及び最下位のケーシング部品１３ｂ、１３ｃの各々における、互いに並列に配置された吸込流路１ｃ及び吐出流路１ｅの区画壁どうしを互いに一体に構成しているので、例えばエルボ管を用いて吸込流路１ｃに対して並列な吐出流路を形成する場合に比べて、ポンプ１を全体として小型化や部品点数削減ができ、ひいては低コスト化も可能となる。
【００２３】
さらに、３つのケーシング部品１３ａ〜１３ｃを回転軸線方向に積み重ねて互いに固定するだけで、互いに並列な吸込流路１ｃ及び吐出流路１ｅと、これらを連通する連通流路１ｄとを形成することができるので、例えばエルボ管を用いて吸込流路１ｃに対して並列な吐出流路を形成するという別工程が不要となり、ポンプ１の組み立て作業が容易となる。
【００２４】
また、本例では、吸込口１ａ及び吐出口１ｂの中心軸線Ｃ２、Ｃ３を、それぞれ回転軸線方向に沿って延在させたことにより、ポンプ１のより十分な小型化が図られ、ポンプ１をキャビネット型給水装置への使用に特に適したものとすることができる。この場合、吸込口１ａ及び吐出口１ｂは、例えば、キャビネット型給水装置における、回転軸線Ｃ１に対して垂直な一方向（Ｘ軸方向）に延在する配管装置（図示せず）の上端部の流出口及び流入口にそれぞれ接続される。
【００２５】
また、本例では、吸込口１ａ及び吐出口１ｂを同一平面内に配置したことにより、ポンプの点検や修理等のための、上記配管装置へのポンプ１の取付けや該配管装置からのポンプ１の取り外しが容易となる。
【００２６】
なお、図２に示すように、本例では、最下位のケーシング部品１３ｃの吐出流路１ｅが、その吐出側の一部分において拡径されている。また、吸込口１ａの径よりも吐出口１ｂの径の方が大きくされている。
【００２７】
なお、吐出流路１ｅ（例えば、最下位のケーシング部品１３ｃの吐出流路１ｅ）には、吐出口１ｂに向かう流体のみの通過を許容する逆止弁（図示せず）を設けると好適である。
【００２８】
図２に示すように、本実施形態では、３つの羽根車１１（羽根車１１ａ〜１１ｃ）が、最上位のケーシング部品１３ａの連通流路１ｄと、中間及び最下位のケーシング部品１３ｂ、１３ｃの吸込流路１ｃとに、それぞれ１つずつ設けられている。各羽根車１１は、それぞれ電動機１０の下端部にて延在する回転軸１０ａの周り（ひいては回転軸線Ｃ１の周り）に設けられているとともに、回転軸線Ｃ１に沿って配列されている。これにより、本実施形態のポンプ１は、３段遠心ポンプに構成されている。
【００２９】
本実施形態では、羽根車１１は、略円盤状に形成されており、上側シュラウド１１３と、下側シュラウド１１４と、上側シュラウド１１３及び下側シュラウド１１４どうしの間において略放射状に配置された複数枚の羽根１１５とを、有している。上側シュラウド１１３の内周端部は、回転軸１０ａの周りに固定されており、これにより羽根車１１は回転軸１０ａの回転と連動して回転されるようになっている。回転軸線方向における各羽根車１１の上側シュラウド１１３の内周端部の位置は、上側シュラウド１１３の内周端部の上側及び下側にそれぞれ隣接して回転軸１０ａの周りに設けられたスリーブ１４によって、維持されている。羽根車１１の入口１１１は、下側シュラウド１１４における回転軸線方向に沿って延在する内周端部の下端によって区画されており、下側を向いている。羽根車１１の出口１１２は、上側シュラウド１１３及び下側シュラウド１１４のそれぞれの外周端によって区画されており、羽根車１１の外周側を向いている。
【００３０】
また、本実施形態では、２つの案内羽根体１２（案内羽根体１２ａ、１２ｂ）が、それぞれ回転軸１０ａの周り（ひいては回転軸線Ｃ１の周り）に設けられているとともに、回転軸線Ｃ１に沿って配列されている。より具体的に、案内羽根体１２は、回転軸線方向において、互いに隣接する２つの羽根車１１どうしの間に１つずつ配置されている。案内羽根体１２は、羽根車１１よりも大径の略円盤状に形成されており、上側シュラウド１２３と、下側シュラウド１２４と、上側シュラウド１２３及び下側シュラウド１２４どうしの間において略放射状に配置された複数枚の羽根１２５とを、有している。上側シュラウド１２３の外周端部は、回転軸線方向に互いに隣接する２つのケーシング部品どうしによって挟持されており、これにより、案内羽根体１２が、ケーシング１３に固定されている。下側シュラウド１２４の内周端は、スリーブ１４と非接触状態で水平方向に対向している。案内羽根体１２の入口１２１は、下側シュラウド１２４の外周端とケーシング３における吸込流路１ｃを区画する内壁面とによって区画されており、下側を向いている。案内羽根体１２の出口１２２は、上側シュラウド１２３における回転軸線方向に沿って延在する内周端部の上端によって区画されており、上側を向いている。また、案内羽根体１２の上側シュラウド１２３の内周端部は、案内羽根体１２の上側に隣接する羽根車１１の下側シュラウド１１４の内周端部の内周側に挿入されており、これにより、案内羽根体１２の出口１２２が、案内羽根体１２の上側に隣接する羽根車１１の内部に位置している。
このように構成された案内羽根体１２は、その下側に隣接する羽根車１１の出口１１２から径方向外側に向けて流出して、さらにケーシング１３の内壁面によって外周側かつ上側へと案内された流体を、径方向内側かつ上側へと案内して、その上側に隣接する羽根車１１の入口１１１へと流入させる。
【００３１】
上述のように構成された縦型多段遠心ポンプであるポンプ１は、電動機１０の回転力が回転軸１０ａへ伝達されると、各羽根車１１がこれに連動して回転される。羽根車１１の回転により、吸込口１ａから流体が吸い込まれ、この流体は、最下位の羽根車１１ｃの入口１１１に流れ込み、遠心力の作用により昇圧され、羽根車１１ｃの外周側の出口１１２から出て、その後、ケーシング３における吸込流路１ｃを区画する内壁面によって外周側かつ上側へと案内され、すぐ上の案内羽根体１２ｂの入口１２１に流れ込む。その後、流体は、案内羽根体１２ｂにより径方向内側かつ上側へと案内されて、すぐ上に位置する中間の羽根車１１ｂの入口１１１へと流れ込み、再び昇圧される。この昇圧動作が最上位の羽根車１１ａまで繰り返し行われる。そして、最上位の羽根車１１ａの出口１１２から出た流体は、連結流路１ｄの残りの部分によって、吸込流路１ｃよりも外周側へと案内され、その後、吐出流路１ｅによって下側へ流れて、吐出口１ｂから吐出される。
【００３２】
図５は、最上位のケーシング部品１３ａの連通流路１ｄを水平断面で示している。最上位のケーシング部品１３ａは、ボリュート形状（渦巻形状）をなしており、特に図の例では、連通流路１ｄにおける、最上位の羽根車１１ａの出口１１２（外周端）から吐出流路１ｅへの接続口までに至る流路部分は、吐出流路１ｅに向かうに従い、流路断面積が徐々に増大されている。このように、最上位のケーシング部品１３ａをボリュート形状とすることにより、例えば仮に連通流路１ｄにおける、最上位の羽根車１１ａの出口１１２から吐出流路１ｅへの接続口までに至る流路部分が略まっすぐ（例えば径方向に）延在する場合に比べて、ポンプ１の効率のさらなる向上が可能となる。
【００３３】
また、ボリュート形状をなす最上位のケーシング部品１３ａに、羽根車１１（最上位の羽根車１１ａ）を収容したことにより、例えば、仮に最上位の羽根車１１ａよりも上側にボリュート形状をなすケーシング部品を設けた場合に比べて、ポンプ１の上下方向の寸法を小さくでき、また、回転軸１０ａの長さをより短くできる分、高速回転による回転軸１０ａのブレから生じる振動を抑制できる。
【００３４】
以上、説明したように、第１実施形態によれば、ケーシング１３における、互いに並列に配置された吸込流路１ｃ及び吐出流路１ｅの区画壁どうしを互いに一体に構成することにより、ポンプ１を全体として小型化でき、ひいては低コスト化も可能となる。
【００３５】
また、３つのケーシング部品１３ａ〜１３ｃを回転軸線方向に積み重ねて互いに固定するだけで、互いに並列な吸込流路１ｃ及び吐出流路１ｅと、これらを連通する連通流路１ｄとを形成することができるので、ポンプ１の組み立て作業が容易となる。
【００３６】
（第２実施形態）
本発明の第２実施形態のポンプを、第１実施形態と異なる点を中心に、図６及び図７を参照して説明する。
第２実施形態のポンプ１は、３段ではなく２段の遠心ポンプとして構成されている点で、第１実施形態のポンプ１と異なる。
【００３７】
ケーシング１３は、羽根車１１の回転軸線方向に沿って積み重ねられて互いに固定された２つのケーシング部品１３ａ、１３ｃを有している。より具体的には、連通流路１ｄを形成する上側のケーシング部品１３ａ（第１末端ケーシング部品）と、互いに並列に配置された吸込流路１ｃ及び吐出流路１ｅを形成するとともに、吸込口１ａ及び吐出口１ｂを有する下側のケーシング部品１３ｃ（並列流路ケーシング部品、第２末端ケーシング部品）とが、互いにボルト１５によって締結されている。
上側のケーシング部品１３ａと下側のケーシング部品１３ｃとの構成は、それぞれ、第１実施形態における最上位のケーシング部品１３ａと最下位のケーシング部品１３ｃとの構成と同様である。
【００３８】
図７に示すように、本実施形態では、２つの羽根車１１（羽根車１１ａ、１１ｃ）が、上側のケーシング部品１３ａの連通流路１ｄと、下側のケーシング部品１３ｃの吸込流路１ｃとに、それぞれ１つずつ設けられている。
また、本実施形態では、１つの案内羽根体１２（案内羽根体１２ａ）が、回転軸線方向において、上側及び下側の羽根車１１ａ、１１ｃどうしの間に配置されている。
羽根車１１と案内羽根体１２との構成は、第１実施形態のものと同様である。
【００３９】
第２実施形態によれば、第１実施形態と同様の効果が得られるとともに、さらなる小型化や振動の抑制が可能である。
【００４０】
（第３実施形態）
本発明の第３実施形態のポンプを、第１実施形態と異なる点を中心に、図８及び図９を参照して説明する。
第３実施形態のポンプ１は、多段ではなく単段の遠心ポンプとして構成されている点で、第１実施形態のポンプ１と異なる。
【００４１】
ケーシング１３は、羽根車１１の回転軸線方向に沿って積み重ねられて互いに固定された２つのケーシング部品１３ａ、１３ｃを有している。より具体的には、連通流路１ｄを形成する上側のケーシング部品１３ａ（第１末端ケーシング部品）と、互いに並列に配置された吸込流路１ｃ及び吐出流路１ｅを形成するとともに、吸込口１ａ及び吐出口１ｂを有する下側のケーシング部品１３ｃ（並列流路ケーシング部品、第２末端ケーシング部品）とが、互いにボルト１５によって締結されている。
上側のケーシング部品１３ａと下側のケーシング部品１３ｃとの構成は、それぞれ、第１実施形態における最上位のケーシング部品１３ａと最下位のケーシング部品１３ｃとの構成と同様である。
【００４２】
図９に示すように、本実施形態では、１つの羽根車１１（羽根車１１ａ）が、上側のケーシング部品１３ａの連通流路１ｄに設けられている。
羽根車１１の構成は、第１実施形態のものと同様である。
なお、本実施形態では、案内羽根体１２が設けられていない。
【００４３】
第３実施形態によれば、第１実施形態と同様の効果が得られるとともに、さらなる小型化や振動の抑制が可能である。
【００４４】
上述の説明から判るように、本発明では、同じ構成の最上位及び最下位のケーシング部品１３ａ、１３ｃ及び羽根車１１を用いつつ、中間のケーシング部品１３ｂ及び羽根車１１の個数を変えるだけで、効率及び回転軸線方向の寸法の異なるポンプ１を得ることができる点でも、コスト面から有利である。
【００４５】
なお、本発明のポンプ１は、上述したものに限られない。
例えば、ポンプ１は、４段以上の多段遠心ポンプとして構成されてもよい。その場合、第１実施形態における中間のケーシング部品１３ｂが複数設けられることとなる。
【００４６】
また、ケーシング部品どうしの固定方法は、ボルト以外の部品を用いた締結の他、接着、溶接、係合等、任意の固定方法を用いることができる。
【００４７】
また、羽根車１１及び案内羽根体１２の構成は、上述したもの以外の任意の構成が可能である。
また、案内羽根体１２は設けなくてもよい。この場合、例えば、ケーシング１３の内壁面によって、ある羽根車１１の出口１１２から流出した流体を径方向内側かつ上側へと案内して、その上側に隣接する羽根車１１の入口１１１へと流入させるようにしてもよい。
【００４８】
また、羽根車１１を、最上位のケーシング部品１３ａ（第１末端ケーシング部品）の連通流路１ｄに設けずに、最上位のケーシング部品１３ａ以外のケーシング部品（並列流路ケーシング部品）の吸込流路１ｃのみに設けてもよい。
【００４９】
また、最上位のケーシング部品１３ａ（第１末端ケーシング部品）は、ボリュート形状以外の形状（例えば、タービン形状等）をなしていてもよい。
【００５０】
なお、本発明のポンプには、水以外の液体（例えば海水や油等）や気体も使用することができる。
【産業上の利用可能性】
【００５１】
本発明のポンプは、商業建造物や集合住宅等の需要先に給水するための給水装置等に使用することができ、キャビネット型給水装置に特に好適に使用できる。
【符号の説明】
【００５２】
１  ポンプ
１ａ  吸込流路の吸込口
１ｂ  吐出流路の吐出口
１ｃ  吸込流路
１ｄ  連通流路
１ｅ  吐出流路
１０  電動機
１０ａ  回転軸
１１、１１ａ〜１１ｃ  羽根車
１２、１２ａ、１２ｂ  案内羽根体
１３  ケーシング
１３ａ  ケーシング部品（第１末端ケーシング部品）
１３ｂ  ケーシング部品（並列流路ケーシング部品）
１３ｃ  ケーシング部品（並列流路ケーシング部品、第２末端ケーシング部品）
１１１  羽根車の入口
１１２  羽根車の出口
１１３  羽根車の上側シュラウド
１１４  羽根車の下側シュラウド
１１５  羽根車の羽根
１２１  案内羽根体の入口
１２２  案内羽根体の出口
１２３  案内羽根体の上側シュラウド
１２４  案内羽根体の下側シュラウド
１２５  案内羽根体の羽根
Ｃ１  回転軸線
Ｃ２  吸込流路の吸込口の中心軸線
Ｃ３  吐出流路の吐出口の中心軸線
【図１】
0006424039.tif 000002
【図２】
0006424039.tif 000003
【図３】
0006424039.tif 000004
【図４】
0006424039.tif 000005
【図５】
0006424039.tif 000006
【図６】
0006424039.tif 000007
【図７】
0006424039.tif 000008
【図８】
0006424039.tif 000009
【図９】
0006424039.tif 000010